(57)【要約】      （修正有）【課題】振動騒音を大幅に減少させると同時に、電池を入れたり、取り出したりすることがうまく行われる振動棒を提供する。【解決手段】振動管部１０、振動モーター２０、両端開口の給電管部３０、制御スイッチ４０と電池５０を備え、両端開口の給電管部は、二つの開口側及び第二収容部３３を備えてなり、一方の開口側には、振動管部の第一接続部１１と接続するための第二接続部３４、他方の開口側には、取り外し可能な第二エンドキャップ３５が設けられ、制御スイッチは第二エンドキャップに設けられ、電池は第二収容部の中に収められ、制御スイッチで、振動モーターの稼動を制御する。電池の周壁と両端開口の給電管部の第二収容部内壁との間は、ギャップレスに配置され、電池は円周方向に安定して位置決めされる。【選択図】図３
0003207926.tif 000002
【実用新案登録請求の範囲】
【請求項１】
導電材料の中空管体からなり、第一接続部と、第一エンドキャップと、前記第一接続部と前記第一エンドキャップとの間にある第一収容部とを備えてなる振動管部、
前記振動管部の前記第一収容部に設けられる振動モーターが備わり、該振動モーターは偏心振動部と、エンド側電気接続部と、周壁側電気接続部と、前記エンド側電気接続部及び前記周壁側電気接続部を隔離するための絶縁リングとを備えてなり、前記エンド側電気接続部を前記振動管部の前記第一接続部に向け、前記周壁側電気接続部を前記振動管部の前記第一収容部の内壁に貼り付けるように設け、電気的接続を行うようになっており、
導電材料で作られた、両端に開き口のある貫通した中空管部である両端開口の給電管部が備わり、前記両端開口の給電管部は、二つの開口側と該二つの開口側間にある第二収容部とを備えてなり、一方の開口側には、前記振動管部の前記第一接続部と接続するための第二接続部が設けられ、他方の開口側には、取外し可能な第二エンドキャップが設けられ、該第二エンドキャップは導電材料で作られたものであり、
前記第二エンドキャップに設けられた制御スイッチが備わり、該制御スイッチには、間隔を開けて設けられた縦方向導電部及び横方向導電部があり、前記縦方向導電部は、前記両端開口の給電管部の前記第二収容部に向け、前記横方向導電部は、前記第二エンドキャップに貼り付けられるように設けられ、電気的接続を行うようになっており、
前記両端開口の給電管部の前記第二収容部に収められる、少なくともの一つの電池が備わり、該電池のプラス、マイナス電極部はそれぞれ、前記制御スイッチの前記縦方向導電部、前記振動モーターの前記エンド側電気接続部と接触して、第一導電パスが形成され、前記振動モーターの前記周壁側電気接続部、前記振動管部、前記両端開口の給電管部、前記第二エンドキャップ、前記制御スイッチの前記横方向導電部は、電気的に接続して、第二導電パスが形成されるが、該第二導電パスと前記第一導電パスとの間は、前記制御スイッチで、電源回路の接続または中断及び前記振動モーターの稼動の開閉を制御するように設けられており、
前記両端開口の給電管部にある前記二つの開口側の口径はどれも、前記電池が通れるように設けられており、
前記電池の周壁と前記両端開口の給電管部の前記第二収容部の内壁との間は、ギャップレスに配置され、前記電池は円周方向の位置決めを安定させるように収められることを特徴とする、
振動棒。
【請求項２】
前記振動管部と前記両端開口の給電管部の外周は更に、共に軟質円筒状スリーブが設けられ、前記第一エンドキャップには、前記振動管部に対する外径拡大形態の第一フランジが設けられ、前記第二エンドキャップには、前記両端開口の給電管部に対する外径拡大形態の第二フランジが設けられ、前記第一フランジ及び前記第二フランジを、前記軟質円筒状スリーブの両端に止め、位置決められるように設けられることを特徴とする、請求項１に記載の振動棒。
【請求項３】
前記振動管部の前記第一接続部と前記両端開口の給電管部の前記第二接続部との間には、ねじ山とねじ溝の組立形態、快速回転位置決め形態、バックル位置決め形態の何れかの一組立形態で設けられることを特徴とする、請求項２に記載の振動棒。
【請求項４】
前記振動管部及び前記両端開口の給電管部には更に、それぞれ体積拡大形態のおもり部が設けられることを特徴とする、請求項３に記載の振動棒。
【請求項５】
前記おもり部は、前記振動管部の前記第一エンドキャップ及び前記両端開口の給電管部の何れかの一開口側の前記第二エンドキャップに設けられることを特徴とする、請求項４に記載の振動棒。
【考案の詳細な説明】
【技術分野】
【０００１】
本考案は、振動棒に関し、特にその振動騒音を大幅に減少させることができるオリジナルな構造形態に関する。
【背景技術】
【０００２】
本考案で言う振動棒とは、外観が棒状の振動マッサージ器のことを言い、その棒体はダンベルのように、両端に拡大された外観を有してなる場合もあり、そのような振動棒を手で持ち、使用しているとき、その振動によって、手部はほぐされ、一定のマッサージ効果を与え、コリなどを緩和させる機能がある。
【０００３】
振動棒が振動を生成するのは、その中に、電池セット及び該電池セットと電気的に接続する振動モーター及び振動棒の外部に振動モーターの開閉を制御するスイッチが設けられる仕組みになっているからである。
【０００４】
従来の振動棒について、実際の使用経験によると、やはり幾つかの問題点や欠点があるが、例えば、従来の振動棒の内部にある電池の組立、位置決め方は、通常、一般的な既有の電池ボックスの構造形態で行われ、それで、電池と電池ボックスとの間に通常、比較的に大きなギャップがあり、もちろん、そのようなギャップの存在は、深槽入れタイプの電池収容空間には、電池を出して交換するために設けられるものだが、それに対して、電池の位置が安定して固定されず、振動棒が振動を生成すると、電池が電池ボックスの中で激しく振動して、耳障りな騒音が生じるため、振動棒の品質や使用寿命に大きいマイナスな影響、欠点を及ぼすと思われる。
【考案の概要】
【考案が解決しようとする課題】
【０００５】
本考案は、振動棒を提供することを目的とし、解決しようとする技術課題は、より理想的で実用性のあるオリジナルな振動棒の構造形態を開発することにある。
【課題を解決するための手段】
【０００６】
本考案の課題を解決するための技術特徴として、導電材料の中空管体からなり、第一接続部と、第一エンドキャップと、第一接続部と第一エンドキャップとの間にある第一収容部とを備えてなる振動管部、該振動管部の第一収容部に設けられる振動モーターが備わり、該振動モーターは偏心振動部と、エンド側電気接続部と、周壁側電気接続部と、エンド側電気接続部及び周壁側電気接続部を隔離するための絶縁リングとを備えてなり、エンド側電気接続部を振動管部の第一接続部に向け、周壁側電気接続部を振動管部の第一収容部の内壁に貼り付けるように設けられ、電気的接続を行うようになっており、導電材料で作られた、両端に開き口のある貫通した中空管部である両端開口の給電管部が備わり、両端開口の給電管部は、二つの開口側及び該二つの開口側間にある第二収容部を備えてなり、一方の開口側には、振動管部の第一接続部と接続するための第二接続部、他方の開口側には、取り外し可能でかつ導電材料で作られた第二エンドキャップが設けられており、該第二エンドキャップに設けられた制御スイッチが備わり、該制御スイッチは、間隔を開けて設けられた縦方向導電部及び横方向導電部があり、縦方向導電部は第二収容部に向け、横方向導電部は第二エンドキャップに貼り付けられるように設けられ、電気的接続を行うようになっており、第二収容部に収められる、少なくともの一電池が備わり、電池のプラス、マイナス電極部はそれぞれ、制御スイッチの縦方向導電部、振動モーターのエンド側電気接続部と接触して、第一導電パスが形成され、振動モーターの周壁側電気接続部、振動管部、両端開口の給電管部、第二エンドキャップ、制御スイッチの横方向導電部は、電気的に接続して、第二導電パスが形成されるが、該第二導電パスと第一導電パスとの間は、制御スイッチで、電源回路の接続または中断及び振動モーターの稼動の開閉を制御するように設けられており、そして、両端開口の給電管部にある二つの開口側の口径はどれも、電池が通れるように設けられ、電池の周壁と端開口の給電管部の第二収容部内壁との間は、ギャップレスに配置され、電池は円周方向の位置決めを安定させるように収められることを特徴とする振動棒を提供する。
【０００７】
このようなオリジナルな設計による本考案は背景技術に対して、振動棒を使用中、電池の位置を安定して固定し、騒音を大幅に減少させるというメリットがあり、それに、両端開口の給電管部の二つの開口側の設置で、使用者が電池をうまく入れたり、取り出したりすることができるという実用性・進歩性がある。
【考案の効果】
【０００８】
本考案に掲示された「振動棒」は、振動管部、振動モーター、両端開口の給電管部、制御スイッチ、電池などの部品を備えてなり、両端開口の給電管部の二つの開口側の口径は、電池が通れるように設けられ、電池の周壁と両端開口の給電管部の第二収容部の内壁との間は、ギャップレスに配置されるというオリジナルな構造形態と技術特徴により、本考案は上記背景技術で述べられた従来の構造に対して、振動棒を使用中、電池の位置を安定して固定されるため、電池の振動を避けることができ、騒音を大幅に減少させるというメリットがあり、それに、両端開口の給電管部の二つの開口側の設置で、使用者が電池をうまく入れたり、取り出したりすることができるという実用性・進歩性がある。
【図面の簡単な説明】
【０００９】
【図１】本考案の振動棒の好適な実施例の立体組立外観図。
【図２】本考案の振動棒の好適な実施例の部分部品に関する３Ｄ透視図。
【図３】本考案の振動棒の好適な実施例の分解立体図。
【図４】本考案の振動棒の好適な実施例の分解断面図。
【図５】本考案の振動棒の好適な実施例の組立断面図。
【図６】本考案の電池が両端開口の給電管部の開口側から取り出される時の説明図。
【図７】本考案の振動管部及び両端開口の給電管部に更におもり部が設けられた場合の実施例図。
【考案を実施するための形態】
【００１０】
図１〜図５に示すのは、本考案の振動棒の好適な実施例だが、これらの実施例は説明のみに用いられ、実用新案登録請求の範囲において、これらの構造に制限しないものとする。
【００１１】
導電材料の中空管体からなり、第一接続部１１と、第一エンドキャップ１２と、第一接続部１１と第一エンドキャップ１２との間にある第一収容部１３とを備えてなる振動管部１０、該振動管部１０の第一収容部１３に設けられる振動モーター２０が備わり、該振動モーター２０は、偏心振動部２１と、エンド側電気接続部２２（らせん状バネでもよい）と、周壁側電気接続部２３及びエンド側電気接続部２２及び周壁側電気接続部２３を隔離するための絶縁リング２４とを備えてなり、エンド側電気接続部２２を振動管部１０の第一接続部１１に向け、周壁側電気接続部２３を振動管部１０の第一収容部１３内壁に貼り付けるように設け、電気的接続を行うようになっており、導電材料で作られた、両端に開き口のある貫通した中空管部である両端開口の給電管部３０が備わり、該両端開口の給電管部３０は、二つの開口側３１、３２と、該二つの開口側３１と３２との間にある第二収容部３３とを備えてなり、一方の開口側３１には、振動管部１０の第一接続部１１と接続するための第二接続部３４、他方の開口側３２には、取り外し可能な第二エンドキャップ３５が設けられ、該第二エンドキャップ３５は導電材料で作られたものであり、該第二エンドキャップ３５に設けられた制御スイッチ４０が備わり、該制御スイッチ４０には、間隔を開けて設けられた縦方向導電部４１と横方向導電部４２とがあり、縦方向導電部４１は、両端開口の給電管部３０の第二収容部３３に向け、横方向導電部４２は、第二エンドキャップ３５に貼り付けられるように設けられ、電気的接続を行うようになっており、両端開口の給電管部３０の第二収容部３３に収められる、少なくとも一つの電池５０が備わり、電池５０のプラス、マイナス電極部５１、５２はそれぞれ、制御スイッチ４０の縦方向導電部４１、振動モーター２０のエンド側電気接続部２２と接触して、第一導電パスが形成され、振動モーター２０の周壁側電気接続部２３、振動管部１０、両端開口の給電管部３０、第二エンドキャップ３５、制御スイッチ４０の横方向導電部４２は、電気的に接続して、第二導電パスが形成されるが、該第二導電パスと第一導電パスとの間は、制御スイッチ４０で、電源回路の接続または中断及び振動モーター２０の稼動の開閉を制御するように設けられており、両端開口の給電管部３０にある二つの開口側３１、３２の口径はどれも、電池５０が通れるように設けられており、電池５０の周壁と両端開口の給電管部３０の第二収容部３３内壁との間は、ギャップレスに配置され（図５）、電池５０は円周方向の位置決めを安定させるように収められることを特徴とする振動棒Ａが提供される。
【００１２】
上述した構造、組立形態と技術特徴により、本考案に掲示された振動棒Ａの使用状況は、図５の構造組立断面図に示すように、電池５０のプラス、マイナス電極部５１、５２はそれぞれ、制御スイッチ４０の縦方向導電部４１、振動モーター２０のエンド側電気接続部２２と接触して、第一導電パスが形成され、振動モーター２０の周壁側電気接続部２３、振動管部１０、両端開口の給電管部３０、第二エンドキャップ３５、制御スイッチ４０の横方向導電部４２は、電気的に接続して、第二導電パスが形成されるが、それに、制御スイッチ４０で、第一導電パスと第二導電パスとの間にある電源回路の接続または中断、更に、振動モーター２０の稼動の開閉を制御するように設けられており、振動モーター２０をオンにして、稼動させると、振動棒Ａ全体が振動し、該振動棒Ａを手にする使用者の手部に振動によるマッサージ効果を与えることができ、電池５０の周壁と両端開口の給電管部３０の第二収容部３３内壁との間はギャップレスに配置されているため、振動棒Ａが振動している間、電池５０は円周方向の位置決めを安定させるように収められ、ギャップが原因で、電池５０が両端開口の給電管部３０に衝突して騒音が生じることはなく、その上、両端開口の給電管部３０と振動管部１０、第二エンドキャップ３５との間はいずれも、取り外せるように組み立てられるため、使用者は電池５０を取り出して交換するとき、図６に示すように、両端開口の給電管部３０と振動管部１０、第二エンドキャップ３５が取り外され単一部品となり、その状態で、両端開口の給電管部３０の二つの開口側３１、３２の口径から、電池５０が通れるように設けられ（電池を入れたり取り出したりする角度から言う場合）、使用者が既有の一つの長形部品８０（例えばドライバー、箸など）を工具として、両端開口の給電管部３０の第二収容部３３に入っている電池５０を押し出せる（図６の矢印に示す通り）が、そのようなユニークな電池の取出方法は、完全に、本考案の電池５０周壁と両端開口の給電管部３０の第二収容部３３内壁との間がギャップレスに配置されるという構造形態に応じて設けられ、それは、本考案と従来の技術とは相違するところでもある。
【００１３】
図１〜図５に示すように、振動管部１０と両端開口の給電管部３０の外周は更に、共に軟質円筒状スリーブ６０（発泡材で作られてもよい）が設けられ、第一エンドキャップ１２には、振動管部１０に対する外径拡大形態の第一フランジ１２１、第二エンドキャップ３５には、両端開口の給電管部に対する外径拡大形態の第二フランジ３５２が設けられ、第一フランジ１２１及び第二フランジ３５２を、軟質円筒状スリーブ６０の両端に止め、位置決められるように設けられる（図５）。
【００１４】
振動管部１０の第一接続部１１と両端開口の給電管部３０の第二接続部３４との間には、ねじ山とねじ溝の組立形態（図１〜図５に示す通り）、快速回転位置決め形態、バックル位置決め形態の何れかの一組立形態で設けられてもよい。
【００１５】
図７に示すように、振動管部１０及び両端開口の給電管部３０には更に、それぞれ体積拡大形態のおもり部７１、７２が設けられ、本実施例では、該おもり部７１、７２は、振動管部１０の第一エンドキャップ１２及び両端開口の給電管部３０の何れかの開口側３２の第二エンドキャップ３５に設けられ、おもり部７１、７２の増設によって、本考案に掲示された振動棒Ａは、ダンベルに似たエクササイズ効果を与えることもできる。
【符号の説明】
【００１６】
Ａ            振動棒
１０          振動管部
１１          第一接続部
１２          第一エンドキャップ
１２１        第一フランジ
１３          第一収容部
２０          振動モーター
２１          偏心振動部
２２          エンド側電気接続部
２３          周壁側電気接続部
２４          絶縁リング
３０          両端開口の給電管部
３１、３２    開口側
３３          第二収容部
３４          第二接続部
３５          第二エンドキャップ
３５２        第二フランジ
４０          制御スイッチ
４１          縦方向導電部
４２          横方向導電部
５０          電池
５１、５２    電極部
６０          軟質円筒状スリーブ
７１、７２    おもり部
８０          長形部品
【図１】
0003207926.tif 000003
【図２】
0003207926.tif 000004
【図３】
0003207926.tif 000005
【図４】
0003207926.tif 000006
【図５】
0003207926.tif 000007
【図６】
0003207926.tif 000008
【図７】
0003207926.tif 000009